(57)【要約】【課題】コンテンツ参照過程で知ったイベント情報を簡単に個人スケジュール情報に組み込むことを可能とすること。【解決手段】予めユーザによる個人スケジュール情報の登録を受付け、また、予めイベント管理者によるイベント情報の登録を受付け、コンテンツ情報を利用するユーザ端末の表示画面に対して、当該コンテンツ情報に関連したイベント情報の取得を要求するためのイベント情報要求アイコンを表示させ、イベント情報要求アイコンがユーザによって選択された場合に、当該イベント情報を当該ユーザの個人スケジュール情報に関連付けるようにした。【選択図】図２
2020067714.tif 000002
【特許請求の範囲】
【請求項１】
個人スケジュール情報及びイベント情報を管理するサーバ装置と、イベント管理者のコンテンツを管理するコンテンツサーバと、表示画面を有するユーザ端末とが通信ネットワークを介して相互に接続可能なイベント管理システムであって、
前記サーバ装置は、
開始日時及び／又は終了日時の情報を含むイベント情報の登録をイベント管理者から受付けるイベント情報受付部と、
受付けた前記イベント情報を記憶させるイベント情報記憶部と、
開始日時及び／又は終了日時の情報を含む個人スケジュール情報の登録を前記ユーザ端末から受付ける個人スケジュール情報受付部と、
受付けた前記個人スケジュール情報を記憶させる個人スケジュール情報記憶部と、
前記ユーザ端末からの要求によって選択された前記イベント情報を前記個人スケジュール情報の表示と併せて表示可能なように前記個人スケジュール情報に関連付けて登録する関連付登録部と、
前記ユーザ端末からの要求に基づいて、記憶させた前記個人スケジュール情報及び前記個人スケジュール情報に関連付けられた前記イベント情報を前記ユーザ端末に表示させるために送信する送信処理部と
を備え、
前記コンテンツサーバは、
前記ユーザ端末に対して提供するためのコンテンツ情報を記憶させるコンテンツ情報記憶部と、
前記コンテンツ情報を利用する前記ユーザ端末の表示画面に対して、当該コンテンツ情報に関連したイベント情報の取得を要求するためのイベント情報要求アイコンを表示させる表示処理部と、
前記イベント情報要求アイコンがユーザによって選択された場合に、当該イベント情報を前記個人スケジュール情報に関連付ける処理を前記サーバ装置に対して指示する関連付指示部と
を備えるイベント管理システム。
【請求項２】
前記ユーザ端末は、
前記サーバ装置の前記送信処理部から受信した前記個人スケジュール情報及び前記個人スケジュール情報に関連付けられた前記イベント情報について、開始日時及び／又は終了日時までの時間に基づいて前記個人スケジュール情報及び／又は前記イベント情報を並び替えて表示する残時間別整列処理部を備える
請求項１に記載のイベント管理システム。
【請求項３】
前記イベント情報記憶部は、前記イベント情報の属性を分類するためのタグ情報を併せて記憶し得る機能を備え、
前記ユーザ端末は、
ユーザによるコンテンツ参照に関する履歴情報を記憶する履歴情報記憶部と、
前記履歴情報に基づいてユーザの関心事を抽出する関心事抽出部と、
前記ユーザの関心事に関連性の高いタグ情報を有するか否かに基づいて前記イベント情報を並び替えて表示する関心事別整列処理部とを備える
請求項１又は請求項２に記載のイベント管理システム。
【請求項４】
前記イベント情報記憶部は、前記イベント情報の属性を分類するためのタグ情報を併せて記憶し得る機能を備え、
前記ユーザ端末は、
前記個人スケジュール情報に関連付けて登録されたイベント情報について、タグ情報に基づいてソートして表示させるソート表示処理部を備える
請求項１から請求項３の何れかに記載のイベント管理システム。
【請求項５】
個人スケジュール情報及びイベント情報を管理するサーバ装置と、イベント管理者のコンテンツを管理するコンテンツサーバと、表示画面を有するユーザ端末とが通信ネットワークを介して相互に接続可能なイベント管理システムにおけるサーバ装置であって、
開始日時及び／又は終了日時の情報を含むイベント情報の登録をイベント管理者から受付けるイベント情報受付部と、
受付けた前記イベント情報を記憶させるイベント情報記憶部と、
開始日時及び／又は終了日時の情報を含む個人スケジュール情報の登録を前記ユーザ端末から受付ける個人スケジュール情報受付部と、
受付けた前記個人スケジュール情報を記憶させる個人スケジュール情報記憶部と、
前記ユーザ端末からの要求によって選択された前記イベント情報を前記個人スケジュール情報の表示と併せて表示可能なように前記個人スケジュール情報に関連付けて登録する関連付登録部と、
前記ユーザ端末からの要求に基づいて、記憶させた前記個人スケジュール情報及び前記個人スケジュール情報に関連付けられた前記イベント情報を前記ユーザ端末に表示させるために送信する送信処理部と
を備え、
前記関連付登録部は、前記コンテンツサーバの機能に基づいて表示されるイベント情報要求アイコンを介して前記ユーザ端末からコンテンツに関連したイベント情報の取得の要求がなされた場合に、当該イベント情報を前記個人スケジュール情報に関連付ける処理を実行する
イベント管理システムにおけるサーバ装置。
【発明の詳細な説明】
【技術分野】
【０００１】
本発明は、コンテンツ参照過程で知ったイベント情報を簡単に個人スケジュール情報に組み込むことを可能とするイベント管理システム及びイベント管理システムにおけるサーバ装置に関するものである。
【背景技術】
【０００２】
近年、スマートフォン等の携帯端末の普及に伴い、携帯端末においてスケジュール管理を行いたいというニーズが増えている。これらの携帯端末においては、例えば、スケジュール管理用のアプリケーションをインストールすることによってスケジュール管理を行う場合が想定され、アプリケーションにおいてユーザ個人のスケジュールを登録して、その登録スケジュールの期日に通知が行われるなどのリマインド機能を備えていることが一般的である。このような個人のスケジュール管理に加えて、ユーザの興味のあるイベントに関する情報をスケジュールに組み込みたいというニーズも存在する。
【０００３】
例えば、特許文献１に記載のカレンダー連動型サービス情報提供システムには、地域情報、コンサートや演劇のチケット発売日などの有用情報、スポンサーのイベント日やバーゲン日等の開催情報が選択出来る各チェックボックスをクリックした際に月間カレンダーにそれを取込んで表示する機能を有することが開示されている。
【先行技術文献】
【特許文献】
【０００４】
【特許文献１】特開２００２−４１９６４号公報
【発明の概要】
【発明が解決しようとする課題】
【０００５】
上記特許文献１においては、種々のカテゴリーのチェックボックスにチェックを入れることで、チェックを入れたカテゴリーの情報を個人スケジュールと一緒に管理できるようになる。例えば、「コンサート」というカテゴリーについてのチェックボックスにチェックを入れることで様々なアーティストのコンサート情報が個人スケジュールと一緒に管理できるようになる。しかし、コンサートというカテゴリーの情報を全て表示させたいわけではなく特定のアーティストのコンサート情報のみを表示させたいというユーザにとっては、必要のない情報も表示されるため、適さない機能であるといえる。
【０００６】
スマートフォン等の携帯端末のユーザは、ＷＥＢブラウザによって様々なサイトにアクセスして情報を取得したり、ソーシャルネットワーキングサービス（ＳＮＳ）において他のユーザから情報を取得したりするなど、スマートフォン等の携帯端末において情報に触れる機会が多い。このような情報に触れた際、その情報に関するイベントの開催日などを個人スケジュールに即座に組み込むことができればユーザの利便性が大きく向上するが、現状は、知った情報について、別途スケジュール管理用のアプリケーションを立ち上げてユーザ自身でスケジュールを登録する必要があり、煩雑であるという問題があり、煩雑であるが故にスケジュール管理をせずに忘れてしまうという問題があった。
【０００７】
本発明は、上記問題点に鑑みなされたものであり、コンテンツ参照過程で知ったイベント情報を簡単に個人スケジュール情報に組み込むことを可能とするイベント管理システム及びイベント管理システムにおけるサーバ装置を提供することを目的とする。
【課題を解決するための手段】
【０００８】
本発明に係るイベント管理システムは、個人スケジュール情報及びイベント情報を管理するサーバ装置と、イベント管理者のコンテンツを管理するコンテンツサーバと、表示画面を有するユーザ端末とが通信ネットワークを介して相互に接続可能なイベント管理システムであって、前記サーバ装置は、開始日時及び／又は終了日時の情報を含むイベント情報の登録をイベント管理者から受付けるイベント情報受付部と、受付けた前記イベント情報を記憶させるイベント情報記憶部と、開始日時及び／又は終了日時の情報を含む個人スケジュール情報の登録を前記ユーザ端末から受付ける個人スケジュール情報受付部と、受付けた前記個人スケジュール情報を記憶させる個人スケジュール情報記憶部と、前記ユーザ端末からの要求によって選択された前記イベント情報を前記個人スケジュール情報の表示と併せて表示可能なように前記個人スケジュール情報に関連付けて登録する関連付登録部と、前記ユーザ端末からの要求に基づいて、記憶させた前記個人スケジュール情報及び前記個人スケジュール情報に関連付けられた前記イベント情報を前記ユーザ端末に表示させるために送信する送信処理部とを備え、前記コンテンツサーバは、前記ユーザ端末に対して提供するためのコンテンツ情報を記憶させるコンテンツ情報記憶部と、前記コンテンツ情報を利用する前記ユーザ端末の表示画面に対して、当該コンテンツ情報に関連したイベント情報の取得を要求するためのイベント情報要求アイコンを表示させる表示処理部と、前記イベント情報要求アイコンがユーザによって選択された場合に、当該イベント情報を前記個人スケジュール情報に関連付ける処理を前記サーバ装置に対して指示する関連付指示部とを備えることを特徴とする。
【０００９】
また、本発明に係るイベント管理システムは、前記ユーザ端末は、前記サーバ装置の前記送信処理部から受信した前記個人スケジュール情報及び前記個人スケジュール情報に関連付けられた前記イベント情報について、開始日時及び／又は終了日時までの時間に基づいて前記個人スケジュール情報及び／又は前記イベント情報を並び替えて表示する残時間別整列処理部を備えることを特徴とする。
【００１０】
また、本発明に係るイベント管理システムは、前記イベント情報記憶部は、前記イベント情報の属性を分類するためのタグ情報を併せて記憶し得る機能を備え、前記ユーザ端末は、ユーザによるコンテンツ参照に関する履歴情報を記憶する履歴情報記憶部と、前記履歴情報に基づいてユーザの関心事を抽出する関心事抽出部と、前記ユーザの関心事に関連性の高いタグ情報を有するか否かに基づいて前記イベント情報を並び替えて表示する関心事別整列処理部とを備えることを特徴とする。
【００１１】
また、本発明に係るイベント管理システムは、前記イベント情報記憶部は、前記イベント情報の属性を分類するためのタグ情報を併せて記憶し得る機能を備え、前記ユーザ端末は、前記個人スケジュール情報に関連付けて登録されたイベント情報について、タグ情報に基づいてソートして表示させるソート表示処理部を備えることを特徴とする。
【００１２】
本発明に係るイベント管理システムにおけるサーバ装置は、個人スケジュール情報及びイベント情報を管理するサーバ装置と、イベント管理者のコンテンツを管理するコンテンツサーバと、表示画面を有するユーザ端末とが通信ネットワークを介して相互に接続可能なイベント管理システムにおけるサーバ装置であって、開始日時及び／又は終了日時の情報を含むイベント情報の登録をイベント管理者から受付けるイベント情報受付部と、受付けた前記イベント情報を記憶させるイベント情報記憶部と、開始日時及び／又は終了日時の情報を含む個人スケジュール情報の登録を前記ユーザ端末から受付ける個人スケジュール情報受付部と、受付けた前記個人スケジュール情報を記憶させる個人スケジュール情報記憶部と、前記ユーザ端末からの要求によって選択された前記イベント情報を前記個人スケジュール情報の表示と併せて表示可能なように前記個人スケジュール情報に関連付けて登録する関連付登録部と、前記ユーザ端末からの要求に基づいて、記憶させた前記個人スケジュール情報及び前記個人スケジュール情報に関連付けられた前記イベント情報を前記ユーザ端末に表示させるために送信する送信処理部とを備え、前記関連付登録部は、前記コンテンツサーバの機能に基づいて表示されるイベント情報要求アイコンを介して前記ユーザ端末からコンテンツに関連したイベント情報の取得の要求がなされた場合に、当該イベント情報を前記個人スケジュール情報に関連付ける処理を実行することを特徴とする。
【発明の効果】
【００１３】
本発明によれば、コンテンツ参照過程で知ったイベント情報を簡単に個人スケジュール情報に組み込むことが可能となる。
【図面の簡単な説明】
【００１４】
【図１】本発明に係るイベント管理システムの構成を表したブロック図である。
【図２】イベント管理システムにおけるサーバ装置１０の構成を表したブロック図である。
【図３】イベント管理システムにおけるコンテンツサーバ２０の構成を表したブロック図である。
【図４】イベント管理システムにおけるユーザ端末３０の構成を表したブロック図である。
【図５】イベント管理システムにおける処理の流れを表したフロー図である。
【図６】ユーザ端末３０に表示させる表示画面の一例を表した説明図である。
【図７】ユーザ端末３０に表示させる表示画面の一例を表した説明図である。
【図８】ユーザ端末３０に表示させる表示画面の一例を表した説明図である。
【図９】イベント情報要求アイコン５０の表示例を表した説明図である。
【発明を実施するための形態】
【実施例１】
【００１５】
以下、図面を参照しながら、実施例１に係るイベント管理システムの例について説明する。図１は、本発明に係るイベント管理システムの構成を表したブロック図である。この図１に示すように、本発明に係るイベント管理システムは、サーバ装置１０と、コンテンツサーバ２０と、ユーザ端末３０１〜３０ｎ（以下、単にユーザ端末３０と表現する場合もある）とが通信ネットワーク４０を介して相互に通信可能に構成されている。なお、以下において、サーバ装置１０、コンテンツサーバ２０及びユーザ端末３０のそれぞれが備える構成について説明を行うが、これらの各構成のうち、サーバ装置１０、コンテンツサーバ２０及びユーザ端末３０の何れかにおいて代替可能であるものについては、適宜構成を入れ替えて実現可能である。また、説明の都合上、図１においては１つのコンテンツサーバ２０を用いて説明を行うが、コンテンツを提供する主体ごとにコンテンツサーバ２０を有するため、実際には多数のコンテンツサーバ２０がイベント管理システムに関与することになることはいうまでもない。
【００１６】
図２は、イベント管理システムにおけるサーバ装置１０の構成を表したブロック図である。この図２に示すように、サーバ装置１０は、イベント情報受付部１１と、イベント情報記憶部１２と、個人スケジュール情報受付部１３と、個人スケジュール情報記憶部１４と、関連付登録部１５と、送信処理部１６とを備えている。
【００１７】
イベント情報受付部１１は、開始日時及び／又は終了日時の情報を含むイベント情報の登録をイベント管理者から受付ける機能を有する。ここで、イベント情報とは、開始日時か終了日時の少なくとも何れか一方が定められることで時間の期限を有するイベントに関する情報をいう。なお、イベント情報の登録時に必ず開始日時及び／又は終了日時の情報を設定しなければならないわけではなく、時期は未定であるがイベントの内容は決定しているような場合には、開始日時及び／又は終了日時の情報は未定のままイベント情報を登録できるようにしてもよい。開始日時及び／又は終了日時の情報は未定の場合、時系列にソートするといった機能が利用できないが、開始日時及び／又は終了日時の情報が未定であるイベントのみを抽出するためのタグ情報を付するようにしてもよい。開始日時及び／又は終了日時の情報が決定した時点でこれらの情報を後から追加することも勿論可能である。イベント情報としては、例えば、コンサートチケットの販売開始日、ゲームソフトの発売日、映画の公開期間、美術館の特別展示の開催期間、ネット上の配信動画の配信日程、食品の賞味期限など、時間的な管理を要するイベントであればどのようなものであっても対象として含まれる。イベント管理者は、イベントを主催する側の立場の者を意味するが、必ずしも企業である必要はなく、イベントを主催する個人であってもよい。このイベント情報受付部１１においては、イベントの内容についての情報、開始日時や終了日時の情報等をイベント情報としての登録対象として受け付ける。具体的には、イベント情報の識別ＩＤとイベント管理者の識別ＩＤとを付することによって、イベント情報とイベント管理者を識別し得るように登録の受付を行う。なお、イベント管理者は、イベント管理者の扱う端末装置（図示省略）を用いて通信ネットワークを介してサーバ装置１０にアクセスしてイベント情報の登録処理を実行する。
【００１８】
イベント情報記憶部１２は、受付けた前記イベント情報を記憶させる機能を有する。このイベント情報記憶部１２によって記憶させたイベント情報は、一度記憶された後であっても、登録を行ったイベント管理者によって変更し得る構成としてもよい。後述の関連付登録部１５によって個人のスケジュールに対して関連付けが行われた後であっても変更を行えば個人のスケジュールに関連付けられたイベント情報の内容も変更されるようにする。
【００１９】
個人スケジュール情報受付部１３は、開始日時及び／又は終了日時の情報を含む個人スケジュール情報の登録をユーザ端末３０から受付ける機能を有する。個人スケジュール情報とは、開始日時か終了日時の少なくとも何れか一方が定められることで時間の期限を有するユーザ個人のスケジュールに関する情報をいう。個人スケジュール情報としては、例えば、仕事の出張期間、友人との食事の約束、勉強会の日程、家族旅行の日程、起床目標時刻、就寝目標時刻など、時間的な管理を要する個人のスケジュールであればどのようなものであっても対象として含まれる。なお、前述のイベント情報との違いは、イベント管理者が登録したイベント情報であるかユーザの個人のスケジュールであるかの違いのみであり、時間的な管理を要する情報という意味では両者に大きな違いは存在しない。また、あるユーザの個人スケジュール情報を第三者がイベント情報として扱うように処理することも可能である。ユーザ自身が登録したものが個人スケジュール情報であり、ユーザ以外の第三者が登録したものがイベント情報である。ユーザは、ユーザ端末３０を用いて通信ネットワークを介してサーバ装置１０にアクセスして個人スケジュール情報の登録処理を実行する。登録の際には、個人スケジュール情報の識別ＩＤ、若しくは、ユーザの識別ＩＤの少なくとも何れか一方を付することによって、個人スケジュール情報とユーザの組み合わせを他のユーザ等から識別し得るように登録の受付を行う。
【００２０】
個人スケジュール情報記憶部１４は、受付けた前記個人スケジュール情報を記憶させる機能を有する。この個人スケジュール情報記憶部１４によって記憶させた個人スケジュール情報は、一度記憶された後であっても、登録を行ったユーザによって変更し得る構成としてもよい。
【００２１】
関連付登録部１５は、ユーザ端末３０からの要求によって選択されたイベント情報を個人スケジュール情報の表示と併せて表示可能なように個人スケジュール情報に関連付けて登録する機能を有する。ここで、イベント情報の関連付けとは、ユーザが自身の登録した個人スケジュール情報をユーザ端末３０において参照する際に、個人スケジュール情報と併せて参照したいイベント情報を個人スケジュール情報に関連付ける処理のことをいう。関連付けは後述するコンテンツサーバ２０によるコンテンツをユーザが参照している際に行うものの他、サーバ装置１０に登録された多数のイベント情報についてユーザが検索を行って必要なイベント情報を抽出して選択して関連付けるものであってもよい。関連付けは、個人スケジュール情報にイベント情報の内容を書き込むというものではなく、イベント情報は独立してイベント情報記憶部１２において管理された状態としておき、個人スケジュール情報と併せてイベント情報を読み出して表示するという処理となる。このように処理することで、イベント管理者によってイベント情報に変更が加えられた場合には、変更後のイベント情報を参照することが可能となる。また、関連付登録部１５は、ユーザ端末３０からの要求によってイベント情報の関連付けを解除し得る構成とすることが好ましい。
【００２２】
送信処理部１６は、ユーザ端末３０からの要求に基づいて、記憶させた個人スケジュール情報及び個人スケジュール情報に関連付けられたイベント情報をユーザ端末に表示させるために送信する機能を有する。ユーザがユーザ端末３０を用いてスケジュールの確認を行いたいと思ったときに、サーバ装置１０に対して個人スケジュール情報の参照要求を行うことになるが、個人スケジュール情報の参照要求を受付けたサーバ装置１０は、この送信処理部１６によって、個人スケジュール情報及び個人スケジュール情報に関連付けられたイベント情報をユーザ端末３０に対して送信する。
【００２３】
図３は、イベント管理システムにおけるコンテンツサーバ２０の構成を表したブロック図である。この図３に示すように、コンテンツサーバ２０は、コンテンツ情報記憶部２１と、表示処理部２２と、関連付指示部２３とを備える。
【００２４】
コンテンツ情報記憶部２１は、ユーザ端末３０に対して提供するためのコンテンツ情報を記憶させる機能を有する。ここで、コンテンツ情報とは、ユーザが利用可能な様々なコンテンツのことをいう。一例としては、ＷＥＢブラウザによって閲覧可能なホームページ等の各種サイトや、ソーシャルネットワーキングサービス（ＳＮＳ）や、ユーザ端末３０にインストールして利用するためのアプリケーションなどがコンテンツ情報に含まれる。コンテンツ情報記憶部２１は、これらの様々なコンテンツ情報を記憶しており、ユーザに利用される際には、このコンテンツ情報記憶部２１に記憶されたコンテンツ情報がユーザ端末３０に対して送信されることになる。
【００２５】
表示処理部２２は、コンテンツ情報を利用するユーザ端末３０の表示画面に対して、当該コンテンツ情報に関連したイベント情報の取得を要求するためのイベント情報要求アイコンを表示させる機能を有する。イベント情報要求アイコンは、コンテンツ情報の参照時に発見したイベント情報を簡単に個人スケジュール情報に関連付ける処理を行うためのアイコンであり、コンテンツ情報を表示する表示画面に表示させるものであれば、サイト内、ＳＮＳの第三者のプロフィール画面、アプリケーションに基づく表示画面など、様々な対象に表示可能である。イベント管理者は、予めサーバ装置１０に対してイベント情報の登録処理を行っておき、その登録したイベント情報の識別ＩＤを把握しておく。そして、イベント情報要求アイコンが選択された場合に、後述する関連付指示部２３においてイベント情報の識別ＩＤが利用され得るように設定しておく。
【００２６】
関連付指示部２３は、イベント情報要求アイコンがユーザによって選択された場合に、当該イベント情報を当該ユーザの個人スケジュール情報に関連付ける処理をサーバ装置１０に対して指示する機能を有する。前提として、イベント管理者は、予めサーバ装置１０に対してイベント情報の登録処理を行っておき、その登録したイベント情報の識別ＩＤを把握しておく必要がある。そして、ユーザによってイベント情報要求アイコンが選択された場合、何れかの段階で当該ユーザの識別ＩＤ（及び／又は、個人スケジュール情報のＩＤ）を取得し、取得したユーザの識別ＩＤ（及び／又は、個人スケジュール情報のＩＤ）とイベント情報の識別ＩＤとをサーバ装置１０に対して送信することで、個人スケジュール情報に対する当該イベント情報の関連付けの指示を行う。関連付けの指示を受けたサーバ装置１０においては、ユーザの識別ＩＤ（及び／又は、個人スケジュール情報のＩＤ）とイベント情報の識別ＩＤが分かれば、個人スケジュール情報に対する当該イベント情報の関連付けの処理は容易である。
【００２７】
図４は、イベント管理システムにおけるユーザ端末３０の構成を表したブロック図である。この図４に示すように、ユーザ端末３０は、受信処理部３１と、残時間別整列処理部３２と、履歴情報記憶部３３と、関心事抽出部３４と、関心事別整列処理部３５と、ソート表示処理部３６とを備える。
【００２８】
受信処理部３１は、サーバ装置１０の送信処理部１６から送信された個人スケジュール情報及び個人スケジュール情報に関連付けられたイベント情報を受信する機能を有する。これらの個人スケジュール情報及び個人スケジュール情報に関連付けられたイベント情報は、ユーザ端末３０の表示画面に表示されてユーザによって参照される。
【００２９】
残時間別整列処理部３２は、受信処理部３１で受信した個人スケジュール情報及び個人スケジュール情報に関連付けられたイベント情報について、開始日時及び／又は終了日時までの時間に基づいて個人スケジュール情報及び／又はイベント情報を並び替えて表示する機能を有する。表示切替機能の一つであり、ユーザの要求に基づいて、開始日時又は終了日時までの時間に基づいて並べ替えを実行する。
【００３０】
履歴情報記憶部３３は、ユーザによるコンテンツ情報の参照に関する履歴情報を記憶する機能を有する。履歴情報は、ユーザが参照したコンテンツ情報を認識可能であればどのような手段による情報であってもよいが、一例としては、ＷＥＢサイト閲覧時にユーザ端末３０に生成されるＣｏｏｋｉｅ情報などが挙げられる。なお、履歴情報は、ユーザ端末３０において記憶させるのみならず、サーバ装置１０に履歴情報を送信して、サーバ装置１０と履歴情報を共有するものであってもよい。
【００３１】
関心事抽出部３４は、履歴情報に基づいてユーザの関心事を抽出する機能を有する。ユーザがコンテンツ情報を参照することによって履歴情報が作成されるが、この履歴情報にはユーザが関心・興味のある情報が含まれているといえる。そこで、この履歴情報からユーザの関心事を抽出する。関心事の抽出はどのような手法であってもよく、効率的な広告のための履歴情報利用などの既存技術が存在し、それらの既存技術を適用可能なものであるため、ここでは詳細な説明を省略する。一例としては、関心事の抽出は、ユーザの関心のあるタグ情報の抽出であってもよい。また、ユーザの関心事は、１つである必要はなく、複数の関心事を抽出する構成としてもよく、その場合に、複数の関心事について関心度合いの大小を判定するようにしてもよい。
【００３２】
関心事別整列処理部３５は、ユーザの関心事に関連性の高いタグ情報を有するか否かに基づいてイベント情報を並び替えて表示する機能を有する。この機能を利用する前提として、サーバ装置１０のイベント情報記憶部１２においては、イベント情報の属性を分類するためのタグ情報を併せて記憶するようにする。そして、関心事抽出部３４において抽出したユーザの関心事と関連性の高いタグ情報を有するか否かに基づいてイベント情報を並べ替えて表示するようにする。或いは、関心度合いの大きいものが先頭にくるように並べ替えるようにしてもよい。この関心事別整列処理部３５による並べ替え機能によれば、ユーザが個人スケジュール情報に対して多数のイベント情報を関連付けている場合、全てのイベント情報に目を通すには労力を要することから、ユーザが関心のあるイベント情報を優先的に先頭に来るように表示することでユーザの労力を軽減できる。
【００３３】
ソート表示処理部３６は、個人スケジュール情報に関連付けて登録されたイベント情報について、タグ情報に基づいてソートして表示させる機能を有する。ユーザが様々なジャンルに興味を持って多数のイベント情報を個人スケジュール情報に関連付けている場合に、ある特定の分野のイベント情報のみを参照したい場合に、このソート表示処理部３６のソート機能を用いることで、特定の分野のイベント情報のみを抽出して表示することが可能となる。例えば、音楽のタグ情報を有するイベント情報のみを抽出して表示させるといった処理が可能となる。また、逆に、特定のタグ情報を有するイベント情報のみを非表示にすることも可能である。
【００３４】
また、ソート表示処理部３６は、サーバ装置１０の個人スケジュール情報記憶部１４において、個人スケジュール情報に対してもタグ情報を付して記憶させておくことにより、個人スケジュール情報に対してもソート機能を適用可能である。例えば、仕事のタグ情報や家族のタグ情報を付して記憶させることにより、仕事の個人スケジュール情報のみを表示したり、家族の個人スケジュール情報のみを表示したりすることができる。また、逆に、特定のタグ情報を有する個人スケジュール情報のみを非表示にすることも可能である。
【００３５】
なお、残時間別整列処理部３２、履歴情報記憶部３３、関心事抽出部３４、関心事別整列処理部３５及びソート表示処理部３６における各種処理は、必ずしもユーザ端末３０において実行する必要はなく、サーバ装置１０においてこれらの構成を備えるようにして、サーバ装置１０において残時間別整列処理部３２、履歴情報記憶部３３、関心事抽出部３４、関心事別整列処理部３５及びソート表示処理部３６における各種処理を実行して、実行された結果をユーザ端末３０に送信する構成としてもよい。
【００３６】
次に、イベント管理システムにおける処理の流れについて説明する。図５は、イベント管理システムにおける処理の流れを表したフロー図である。この図５において、イベント管理システムにおける処理は、サーバ装置１０において、予めユーザによる個人スケジュール情報の登録を受け付けて記憶させることで開始される（ステップＳ１０１）。また、サーバ装置１０において、予めイベント管理者によるコンテンツに関連したイベント情報の登録を受け付けて記憶させる（ステップＳ１０２）。また、コンテンツサーバ２０は、コンテンツ情報を記憶させてあるものとする。この状況において、ユーザ端末３０からコンテンツサーバ２０に対してコンテンツ情報の参照を要求（ステップＳ１０３）すると、コンテンツサーバ２０は、ユーザ端末３０に対して要求されたコンテンツ情報を送信するとともに、当該コンテンツ情報に関連したイベント情報の取得を要求するためのイベント情報要求アイコンをコンテンツ情報と併せて表示させる（ステップＳ１０４）。この状況において、ユーザ端末３０の表示画面にコンテンツ情報と併せて表示されたイベント情報要求アイコンをユーザが選択すると、イベント情報要求アイコンが選択されたことがコンテンツサーバ２０に送信される（ステップＳ１０５）。コンテンツサーバ２０は、サーバ装置１０に対して、当該ユーザの個人スケジュール情報に対して当該イベント情報の関連付けを指示する（ステップＳ１０６）。関連付けの指示を受けたサーバ装置１０は、当該ユーザの個人スケジュール情報に対して当該イベント情報の関連付けを実行する（ステップＳ１０７）。以上の処理によって、個人スケジュール情報に対する当該イベント情報の関連付けが完了する。関連付け完了後にユーザ端末３０からサーバ装置１０に対して個人スケジュール情報の表示要求がなされると（ステップＳ１０８）、サーバ装置１０は、当該ユーザの個人スケジュール情報及び関連付けされたイベント情報をユーザ端末３０に対して送信する（ステップＳ１０９）。ユーザ端末３０は、受信した個人スケジュール情報及び関連付けされたイベント情報を表示画面に表示させて（ステップＳ１１０）、処理を終了する。
【００３７】
図６乃至図８は、ユーザ端末３０に表示させる表示画面の一例を表した説明図である。ユーザ端末３０において個人スケジュール情報及び関連付けされたイベント情報を表示する手段として、例えば、ユーザ端末３０にインストールしたアプリケーションを利用する場合が考えられる。その場合、ユーザが当該アプリケーションを起動させることにより、ユーザ端末３０からサーバ装置１０に対して個人スケジュール情報の表示要求がなされ、サーバ装置１０からユーザ端末３０に対して個人スケジュール情報及び関連付けされたイベント情報が送信され、アプリケーションの機能に基づいて個人スケジュール情報及び関連付けされたイベント情報が表示される。図６乃至図８は、このようなアプリケーションに基づく表示画面の一例を表している。
【００３８】
表示画面の一例としては、例えば図６に示すように、個人スケジュール情報及びイベント情報を残時間に応じて分類して表示する例が考えられる。図６の例では、３時間以内のイベント情報を表示する欄、２４時間以内のイベント情報を表示する欄、１週間以内のイベント情報を表示する欄を設けており、図６には表示されていないが、さらに画面をスクロールさせることで、１ヶ月以内のイベント情報を表示する欄、半年以内のイベント情報を表示する欄が現れる表示方法が考えられる。また、図６乃至図８において、Ａ〜Ｇの符号はイベント情報の属性が異なることを意味し、符号Ａ１〜Ａ６、Ｂ１〜Ｂ３、Ｃ１〜Ｃ３、Ｄ１〜Ｄ３、Ｅ１〜Ｅ４、Ｆ１〜Ｆ２、Ｇ１〜Ｇ２といったように、同一属性内において複数のイベント情報が登録されている。なお、図６において、符号Ａ１〜Ａ６は個人スケジュール情報を表しており、他の符号はイベント情報を表しているものとする。そして、図６の例では、残時間に応じて分類される各表示欄の内側においては、個人スケジュール情報が左端に表示されるようにし、その次に残時間の少ない順で残りのイベント情報が表示されているものとする。各表示欄には、画面上表示し切れていないイベント情報を参照するためのスライドボタンが右端に設けられている。
【００３９】
図７は、個人スケジュール情報の表示をオフにしてイベント情報のみを表示させた表示画面を表している。図６の表示画面に基づいて個人スケジュール情報を確認したユーザが、イベント情報のみを別途確認したいと考えた場合に、ソート表示処理部３６のソート機能に基づいて、個人スケジュール情報の表示をオフにすることが考えられる。これにより、図７に示すように、図６においては隠れていたイベント情報が表示されるようになっている。
【００４０】
図８は、人スケジュール情報の表示をオフにした図７の表示画面から、更に、ユーザの関心事が優先的に左端に表示されるように並べ替えた表示画面を表している。自分の関心の高いイベント情報を優先的に確認したいとユーザが考えた場合、ユーザ端末３０の関心事別整列処理部３５による並べ替え機能を用いて、ユーザの履歴情報から抽出された関心事に関連性の高いイベント情報が左端に来るように並べ替えを実行させる。例えば、Ｅ＞Ｄ＞Ｃ＞Ｂ＞Ｇ＞Ｆの順にユーザの関心の度合いが高いと判定されているばあいには、図７の表示画面が、図８の表示画面のように並べ替えられる。これにより、ユーザは関心の高い分野のイベント情報を見落とすことがなくなる。
【００４１】
図９は、イベント情報要求アイコン５０の表示例を表した説明図である。この図９は、アーティストＳのコンサートの全国ツアー開催決定を通知するＷＥＢサイトを表しており、全国ツアーを開催することは決まったが、日程とチケット販売予定がまだ定まっていない状況を説明している。このような状況においては、従来はユーザがこまめにＷＥＢサイトを確認するなどによって情報の更新を確認する必要があった。しかし、本発明のイベント管理システムを適用すると、この図９に示すように、イベント情報要求アイコン５０をＷＥＢサイト上に表示させておき、日程とチケット販売予定がまだ定まっていない状況においても、イベント情報の個人スケジュール情報への関連付けを可能とすることができる。日程が未定のイベント情報であっても、個人スケジュール情報に関連付けておくことで、後日イベント管理者がイベント情報を更新することで、その更新が関連付けされたイベント情報に反映されるため、ユーザが自ら情報の更新を確認する手間が省けるというメリットがある。
【００４２】
以上のように、本発明に係るイベント管理システムによれば、予めユーザによる個人スケジュール情報の登録を受付け、また、予めイベント管理者によるイベント情報の登録を受付け、コンテンツ情報を利用するユーザ端末の表示画面に対して、当該コンテンツ情報に関連したイベント情報の取得を要求するためのイベント情報要求アイコンを表示させ、イベント情報要求アイコンがユーザによって選択された場合に、当該イベント情報を当該ユーザの個人スケジュール情報に関連付けるようにしたので、コンテンツ参照過程で知ったイベント情報を簡単に個人スケジュール情報に組み込むことが可能となる。すなわち、知った情報について別途スケジュール管理用のアプリケーションを立ち上げてユーザ自身でスケジュールを登録する必要がなくなるため、イベント情報の登録に関する煩雑さが解消され、また、コンテンツを参照したその場でイベント情報の登録を行うことが可能となるため、登録漏れの心配がなくなる。
【００４３】
前記実施例においては、イベント管理者が登録したイベント情報に関しては、イベント情報要求アイコンを選択した全てのユーザに共通して閲覧され得る情報であるイメージで説明を行ったが、これに限定されるものではない。例えば、イベント情報に対して特定のユーザしか閲覧できない「権限設定」を設定できるようにしてもよい。例えば、歯科医院に通院しているユーザが、次の通院予定を決める際、病院側とユーザ（および当該ユーザが共有を許可した別のユーザ）にしか閲覧できない通院予約をイベントとして作成するケースなどが考えられる。
【００４４】
前記実施例においては、サーバ装置１０とコンテンツサーバ２０とは異なる装置として説明を行ったが、サーバ装置１０とコンテンツサーバ２０の両方の機能を実現可能な１つの装置で構成したものであってもよい。
【符号の説明】
【００４５】
１０            サーバ装置
１１            イベント情報受付部
１２            イベント情報記憶部
１３            個人スケジュール情報受付部
１４            個人スケジュール情報記憶部
１５            関連付登録部
１６            送信処理部
２０            コンテンツサーバ
２１            コンテンツ情報記憶部
２２            表示処理部
２３            関連付指示部
３０、３０１〜３０ｎ        ユーザ端末
３１            受信処理部
３２            残時間別整列処理部
３３            履歴情報記憶部
３４            関心事抽出部
３５            関心事別整列処理部
３６            ソート表示処理部
４０            通信ネットワーク
５０            イベント情報要求アイコン
【図１】
2020067714.tif 000003
【図２】
2020067714.tif 000004
【図３】
2020067714.tif 000005
【図４】
2020067714.tif 000006
【図５】
2020067714.tif 000007
【図６】
2020067714.tif 000008
【図７】
2020067714.tif 000009
【図８】
2020067714.tif 000010
【図９】
2020067714.tif 000011